(57)【要約】【課題】設定温度に到達する時間の遅延を防止して、サイクルタイムを短縮することができる温度制御装置及び加熱制御方法を提供する。【解決手段】温度制御装置は、対象物の温度を取得する温度取得部と、対象物から流出する媒体を排出する排出弁それぞれの開閉を制御する制御部と、対象物に加熱用媒体を供給して加熱した状態で、温度取得部で取得した温度に基づいて対象物の昇温速度を算出する昇温速度算出部とを備え、制御部は、昇温速度算出部で算出した昇温速度に基づいて、排出弁の開閉を制御する。【選択図】図１
2019016233.tif 000002
【特許請求の範囲】
【請求項１】
媒体流路を有する対象物に管路を介して媒体を流して前記対象物の温度を制御する温度制御装置であって、
前記対象物の温度を取得する温度取得部と、
前記対象物から流出する媒体を排出する排出弁の開閉を制御する制御部と、
前記対象物に加熱用媒体を供給して加熱した状態で、前記温度取得部で取得した温度に基づいて前記対象物の昇温速度を算出する昇温速度算出部と
を備え、
前記制御部は、
前記昇温速度算出部で算出した昇温速度に基づいて、前記排出弁の開閉を制御する温度制御装置。
【請求項２】
所定の閾値を設定する閾値設定部を備え、
前記制御部は、
前記昇温速度算出部で算出した昇温速度が前記閾値よりも小さい場合、前記排出弁を所要時間の間、開にする請求項１に記載の温度制御装置。
【請求項３】
前記昇温速度算出部は、
前記対象物の温度が該対象物の設定温度よりも低い第１温度のときの第１昇温速度を算出し、
前記閾値設定部は、
前記対象物の温度と昇温速度の変化率との関係における前記設定温度のときの変化率及び前記第１昇温速度に基づいて前記閾値を設定する請求項２に記載の温度制御装置。
【請求項４】
前記閾値設定部は、
前記加熱用媒体の温度に応じて前記閾値を設定する請求項２又は請求項３に記載の温度制御装置。
【請求項５】
前記加熱用媒体の圧力を取得する圧力取得部と、
前記加熱用媒体の温度に基づく飽和圧力及び前記圧力取得部で取得した圧力に応じて重み付け係数を算出する係数算出部と
を備え、
前記閾値設定部は、
前記係数算出部で算出した係数に応じて前記閾値を設定する請求項２から請求項４のいずれか一項に記載の温度制御装置。
【請求項６】
前記対象物の設定温度と前記昇温速度を算出したときの前記対象物の温度との差に応じて前記排出弁を開の状態にする所要時間を算出する所要時間算出部を備え、
前記制御部は、
前記所要時間算出部で算出した所要時間の間、前記排出弁を開にする請求項１から請求項５のいずれか一項に記載の温度制御装置。
【請求項７】
コンピュータに、媒体流路を有する対象物に管路を介して媒体を流して前記対象物の温度を制御させるためのコンピュータプログラムであって、
コンピュータに、
前記対象物の温度を取得する処理と、
前記対象物から流出する媒体を排出する排出弁の開閉を制御する処理と、
前記対象物に加熱用媒体を供給して加熱した状態で、取得した温度に基づいて前記対象物の昇温速度を算出する処理と、
算出した昇温速度に基づいて、前記排出弁の開閉を制御する処理と
を実行させるコンピュータプログラム。
【請求項８】
媒体流路を有する対象物に管路を介して媒体を流して前記対象物の温度を制御する温度制御装置による加熱制御方法であって、
前記対象物の温度を温度取得部が取得し、
前記対象物から流出する媒体を排出する排出弁の開閉を制御部が制御し、
前記対象物に加熱用媒体を供給して加熱した状態で、取得された温度に基づいて前記対象物の昇温速度を昇温速度算出部が算出し、
算出された昇温速度に基づいて、前記排出弁の開閉を前記制御部が制御する加熱制御方法。
【発明の詳細な説明】
【技術分野】
【０００１】
本発明は、温度制御装置及び加熱制御方法に関する。
【背景技術】
【０００２】
プラスチック等の合成樹脂を用いて成型品を射出成形する射出成形機には金型が使用されている。射出成形の金型は、溶融したプラスチックが充填される空間部分であるキャビティ、溶融したプラスチックを冷却固化するための媒体を流す流路を有する。金型の温度を正確に所要の温度に維持することは、成型品の精度を高めるために重要なことであり、金型温度調節機が用いられている。
【０００３】
このような金型温度調節機では、金型に対する加熱と冷却とが交互に繰り返される。加熱の際に用いられる蒸気が有する熱エネルギーが金型に移動した結果、蒸気が水に相変化し、ドレンが発生する。かかるドレンは排出弁を介して排出される（特許文献１参照）。
【先行技術文献】
【特許文献】
【０００４】
【特許文献１】特開２００３−２００４３１号公報
【発明の概要】
【発明が解決しようとする課題】
【０００５】
しかし、金型内の媒体流路に溜まるドレンの量が増加すると金型の温度が設定温度に到達する時間が遅くなる事態が生じる。また、溜まったドレンの量によっては、設定温度に到達せずに温度が低下するおそれもある。
【０００６】
本発明は斯かる事情に鑑みてなされたものであり、設定温度に到達する時間の遅延を防止して、サイクルタイムを短縮することができる温度制御装置及び加熱制御方法を提供することを目的とする。
【課題を解決するための手段】
【０００７】
本発明に係る温度制御装置は、媒体流路を有する対象物に管路を介して媒体を流して前記対象物の温度を制御する温度制御装置であって、前記対象物の温度を取得する温度取得部と、前記対象物から流出する媒体を排出する排出弁の開閉を制御する制御部と、前記対象物に加熱用媒体を供給して加熱した状態で、前記温度取得部で取得した温度に基づいて前記対象物の昇温速度を算出する昇温速度算出部とを備え、前記制御部は、前記昇温速度算出部で算出した昇温速度に基づいて、前記排出弁の開閉を制御する。
【０００８】
本発明に係るコンピュータプログラムは、コンピュータに、媒体流路を有する対象物に管路を介して媒体を流して前記対象物の温度を制御させるためのコンピュータプログラムであって、コンピュータに、前記対象物の温度を取得する処理と、前記対象物から流出する媒体を排出する排出弁の開閉を制御する処理と、前記対象物に加熱用媒体を供給して加熱した状態で、取得した温度に基づいて前記対象物の昇温速度を算出する処理と、算出した昇温速度に基づいて、前記排出弁の開閉を制御する処理とを実行させる。
【０００９】
本発明に係る加熱制御方法は、媒体流路を有する対象物に管路を介して媒体を流して前記対象物の温度を制御する温度制御装置による加熱制御方法であって、前記対象物の温度を温度取得部が取得し、前記対象物から流出する媒体を排出する排出弁の開閉を制御部が制御し、前記対象物に加熱用媒体を供給して加熱した状態で、取得された温度に基づいて前記対象物の昇温速度を昇温速度算出部が算出し、算出された昇温速度に基づいて、前記排出弁の開閉を前記制御部が制御する。
【発明の効果】
【００１０】
本発明によれば、設定温度に到達する時間の遅延を防止できるため、サイクルタイムを短縮することができる。
【図面の簡単な説明】
【００１１】
【図１】本実施の形態の温度制御装置としての金型温度調節機の構成の一例を示す説明図である。
【図２】本実施の形態の金型温度調節機による金型の温度調節の一例を示す模式図である。
【図３】本実施の形態の金型温度調節機５０による昇温速度の算出の一例を示す説明図である。
【図４】金型温度の推移の一例を示す模式図である。
【図５】金型の昇温特性の一例を示す模式図である。
【図６】金型の温度と昇温速度の変化率との関係を示す模式図である。
【図７】本実施の形態の金型温度調節機による閾値設定するための昇温速度の算出例を示す説明図である。
【図８】本実施の形態の金型温度調節機による閾値設定するための設定温度のときの昇温速度の変化率の算出方法の一例を示す模式図である。
【図９】本実施の形態の金型温度調節機による加熱制御時の金型の温度の推移の一例を示す模式図である。
【図１０】本実施の形態の金型温度調節機による加熱制御の処理手順の一例を示すフローチャートである。
【発明を実施するための形態】
【００１２】
（第１実施形態）
以下、本発明をその実施の形態を示す図面に基づいて説明する。図１は本実施の形態の温度制御装置としての金型温度調節機５０の構成の一例を示す説明図である。本実施の形態では、温度制御装置として金型温度調節機５０を例に挙げて説明するが、温度制御装置は金型温度調節機に限定されるものではない。金型温度調節機５０は、対象物としての金型２００の温度を調節（制御）する。なお、以下では、対象物として金型２００を例に挙げて説明するが、対象物は金型２００に限定されるものではない。
【００１３】
金型２００の入口側には管路１１（送媒管路）が接続されている。管路１１に介装された加熱弁としての加熱電磁弁２１を通じて蒸気（加熱用媒体）を金型２００へ供給することができ、管路１１に介装された電磁弁２２を通じて圧縮空気（コンプレッサエア）を金型２００へ供給することができ、また、管路１１に介装された冷却電磁弁２３を通じて冷却水（冷却媒体）を金型２００へ供給することができるようになっている。なお、以下では、加熱用媒体として蒸気を用いる例について説明する。
【００１４】
管路１１は、途中で２系統に分岐してあり、分岐した管路１１それぞれが金型２００の入口側に接続されている。分岐した管路１１それぞれには、送媒バルブ２５を介装してある。また、管路１１の所定箇所には、蒸気の圧力を検出するための圧力センサ３２を設けている。
【００１５】
金型２００の出口側には管路１２（返媒管路）が接続されている。管路１２に介装された排出弁としての排水電磁弁２４を通じて媒体（例えば、水又はエア）を排出することができるようになっている。
【００１６】
管路１２は、途中で２系統に分岐してあり、分岐した管路１２それぞれが金型２００の出口側に接続されている。分岐した管路１２それぞれには、返媒バルブ２６を介装してある。
【００１７】
金型２００の所定箇所には、金型の温度を検出するための温度センサ３１が設けられている。
【００１８】
金型温度調節機５０は、制御部５１、温度取得部５２、昇温速度算出部５３、閾値設定部５４、記憶部５５、圧力取得部５６、係数算出部５７、所要時間算出部５８などを備える。
【００１９】
制御部５１は、加熱電磁弁２１、電磁弁２２、冷却電磁弁２３、排水電磁弁２４それぞれの開閉（例えば、開閉タイミング、開状態の開時間、閉状態の閉時間など）を制御する。
【００２０】
図２は本実施の形態の金型温度調節機５０による金型２００の温度調節の一例を示す模式図である。図中、横軸は時間を示し、図中の曲線は金型２００の温度を示す。なお、図中の金型２００の温度は模式的に示すものであり、実際の温度とは異なる場合がある。
【００２１】
金型２００の温度が加熱開始温度（例えば、２０℃など）のときに、制御部５１は、時点ｔ１において加熱制御を開始する。具体的には、加熱電磁弁２１及び排水電磁弁２４を開き、電磁弁２２及び冷却電磁弁２３を閉じ、蒸気を金型２００へ投入（供給）し、金型２００を加熱する。排水電磁弁２４を開くのは、加熱当初は、比較的多くのドレンが発生するので、ドレンを排出するためである。
【００２２】
時点ｔ２において、制御部５１は、排水電磁弁２４を閉じる。排水電磁弁２４を閉じるのは、金型２００内の媒体流路、管路１１、１２内の圧力を加熱媒体である蒸気の圧力まで上昇させる（近づける）ためである。このとき、圧力上昇に伴って金型２００の温度も上昇し、加熱される。
【００２３】
金型２００の温度が設定温度（例えば、１２０℃など）に到達すると、時点ｔ３において射出が開始され、溶融したプラスチックが金型２００に充填される。
【００２４】
時点ｔ４において、制御部５１は、加熱電磁弁２１を閉じ、電磁弁２２及び排水電磁弁２４を開き、圧縮空気を金型２００に供給することにより、金型２００内に残った蒸気を排出する。
【００２５】
時点ｔ５において、制御部５１は、電磁弁２２を閉じ、冷却電磁弁２３を開くことにより、冷却制御を開始する。これによって、金型２００の温度は低下する。
【００２６】
時点ｔ６において、制御部５１は、冷却電磁弁２３を閉じ、時点ｔ７において、電磁弁２２を開くことにより、圧縮空気を金型２００に供給する。これにより、金型２００内に残った水を排出する。
【００２７】
時点ｔ８において、金型２００から成型品を取り出し、射出成形サイクルが終了する。また、成型品を取り出すタイミングは、時点ｔ８（例えば、時点ｔ７において圧縮空気を金型２００に供給した後など）に限られず、金型２００が所定の温度まで冷却された後、すなわち、時点ｔ６で冷却電磁弁２３を閉じた後、時点ｔ７で圧縮空気を金型２００に供給する前でもよい。このとき、時点ｔ７の圧縮空気の供給で射出成形サイクルの終了となる。
【００２８】
温度取得部５２は、金型２００の温度を取得する。金型２００内部に設けられた温度センサ３１が出力する信号を取得することにより、温度取得部５２は、金型２００の温度を取得することができる。
【００２９】
昇温速度算出部５３は、金型２００に蒸気を供給して加熱した状態（例えば、加熱電磁弁２１を開とし、排水電磁弁２４を閉とした状態）で、温度取得部５２で取得した温度に基づいて金型２００の昇温速度を算出する。
【００３０】
図３は本実施の形態の金型温度調節機５０による昇温速度の算出の一例を示す説明図である。図中、横軸は時間を示し、縦軸は金型２００の温度を示す。金型２００の加熱開始直前の温度をＴ０とする。温度取得部５２は、所定の間隔Δｔ（例えば、１秒など）で金型２００の温度を取得する。図６に示すように、加熱開始後、時点ｔのときの金型２００の温度をＴとし、時点ｔよりもΔｔ前の時点（ｔ−Δｔ）のときの金型２００の温度をＴ′とすると、時点ｔのときの昇温速度は、［（Ｔ−Ｔ′）／Δｔ］で求めることができる。なお、所定の間隔Δは、１秒に限定されない。
【００３１】
制御部５１は、昇温速度算出部５３で算出した昇温速度に基づいて、排水電磁弁２４の開閉を制御する。金型２００の温度を設定温度まで上昇させる加熱制御の途中で、算出した昇温速度に基づいて排水電磁弁２４を閉から開にする制御を設けることにより、金型２００内の媒体流路及び管路１２に溜まったドレンを排出することができ、溜まったドレンによって金型２００の温度が設定温度に到達するまでの時間が遅くなる事態を防止することができる。
【００３２】
図４は金型温度の推移の一例を示す模式図である。図中、横軸は時間を示し、縦軸は温度を示す。図中、実線で示す曲線は金型２００内の媒体流路及び管路１２に溜まったドレンが少ない場合の金型の温度の推移を表し、破線で示す曲線は金型２００に溜まったドレンが多い場合の金型の温度の推移を表す。なお、図中の金型の温度の推移は模式的に表すものであり、実際の温度の推移とは異なる場合もある。図４に示すように、金型２００の媒体流路及び管路１２に溜まったドレンが多い場合には、金型２００の温度は設定温度に到達しないこと、あるいは設定温度に到達するまでの時間が、金型２００の媒体流路及び管路１２に溜まったドレンが少ない場合よりも長くなることがある。また、金型２００の媒体流路及び管路１２に溜まったドレンが多い場合、金型２００の媒体流路及び管路１２に溜まったドレンが少ない場合よりも、昇温速度が小さくなることが分かる。
【００３３】
制御部５１は、昇温速度算出部５３で算出した昇温速度が所定の閾値Ｘより小さい場合、排水電磁弁２４を所要時間の間だけ開にする。所定の閾値Ｘは、例えば、金型２００の設定温度のときの昇温速度とすることができる。金型２００の温度が設定温度よりも低い場合において、金型２００内の媒体流路及び管路１２にドレンが溜まっていないとき、あるいは溜まったドレンの量が無視することができる程度のときには、昇温速度は、設定温度のときの昇温速度（すなわち、所定の閾値Ｘ）以下となることはない。従って、昇温速度算出部５３で算出した昇温速度が所定の閾値Ｘよりも小さい場合には、金型２００内の媒体流路及び管路１２にドレンが溜まっていると判定することができる。
【００３４】
昇温速度が所定の閾値Ｘより小さい場合、排水電磁弁２４を所要時間の間、開にする。これにより、金型２００内の媒体流路及び管路１２に溜まったドレンを排出することができ、金型２００の温度が設定温度に到達する時間が遅くなる事態を防止することができる。また、排水電磁弁２４を所要時間の間だけ開にすることにより、蒸気の圧力の低下を抑制することができる。
【００３５】
次に、上述の閾値Ｘの設定方法について説明する。
【００３６】
図５は金型２００の昇温特性の一例を示す模式図である。図中、横軸は時間を示し、縦軸は金型の温度を示す。図５では、金型の種類として、小型、中型、大型に分けて、各金型の昇温特性を表している。小型、中型、大型の別は、例えば、金型の大きさに応じて区分することができる。図５に示す昇温特性は、例えば、実測値をプロットして得ることができ、あるいはシミュレーションで計算して得ることもできる。金型が小型の場合、加熱開始温度（例えば、２０℃など）から設定温度（例えば、１２０℃など）に到達するまでの時間が、金型が大型である場合に比べて短いことが分かる。図５中の各曲線において、任意の温度における曲線の傾きが、昇温速度を表す。
【００３７】
図６は金型２００の温度と昇温速度の変化率との関係を示す模式図である。図中、横軸は温度を示し、縦軸は昇温速度の変化率を示す。加熱開始温度Ｔ０を、例えば、２０℃とし、設定温度Ｔｓを１２０℃とすると、設定温度１２０℃における上昇温度（Ｔｓ-Ｔ０）は１００℃（＝１２０−２０）となる。
【００３８】
金型２００の温度と昇温速度の変化率との関係は、金型２００の上昇温度毎に昇温速度の変化率をプロットしたものであり、予め実測値又はシミュレーション結果等によって定めることができる。また、金型２００の温度と昇温速度の変化率との関係は、ドレンの存在による影響がない又は無視することができる状態を前提とすることができる。金型２００の上昇温度毎に昇温速度の変化率をプロットした点を繋ぐと、金型２００の温度と昇温速度の変化率との関係は、上昇温度の増加とともに変化率が低下し、例えば、直線状又は曲線状で表すことができる。また、当該関係が曲線で表される場合には、１又は複数の線分で近似することもできる。
【００３９】
図６中、Ｔｖ１、Ｔｖ２は、蒸気温度であり、例えば、蒸気温度がＴｖ１のときは、金型２００の温度と昇温速度の変化率との関係は実線で表すことができ、蒸気温度がＴｖ２（Ｔｖ２＞Ｔｖ１）のときは、金型２００の温度と昇温速度の変化率との関係は破線で表すことができる。
【００４０】
図７は本実施の形態の金型温度調節機５０による閾値設定するための昇温速度の算出例を示す説明図である。図中、横軸は時間を示し、縦軸は金型２００の温度を示し、実線で示す曲線は、金型２００の昇温特性を示す。
【００４１】
図７に示すように、金型２００の加熱開始直前の温度をＴ０とし、加熱開始後、時間ｔaが経過したときの金型２００の温度をＴ１（曲線上符号Ａで示す）とする。
【００４２】
温度Ｔ１のときの昇温速度（第１昇温速度）は、［（Ｔ１−Ｔ０）／ｔａ］で表すことができ、曲線の点Ａにおける接線の傾きとなる。なお、時間ｔａ又は温度Ｔ１は、固定値である必要はなく、適宜設定することができる。すなわち、第１昇温速度を算出する際の温度Ｔ１は適宜設定することができる。
【００４３】
閾値設定部５４は、金型２００の温度と昇温速度の変化率との関係における設定温度のときの変化率及び第１昇温速度に基づいて閾値Ｘを設定する。第１昇温速度は、上述の温度Ｔ１のときの昇温速度とすることができる。
【００４４】
図８は本実施の形態の金型温度調節機５０による閾値設定するための設定温度のときの昇温速度の変化率の算出方法の一例を示す模式図である。図中、横軸は温度を示し、縦軸は昇温速度の変化率を示す。加熱開始直前の金型２００の温度をＴ０とし、金型２００の温度が設定温度Ｔｓのときの昇温速度の変化率をＲｓとする。なお、図８に示す関係は、予め記憶部５５に記憶しておいてもよく、あるいは、演算で求めるようにしてもよい。
【００４５】
図８に示すように、金型２００の昇温速度の変化率を直線で表すことができるとした場合、蒸気温度Ｔｖと、加熱開始直前の金型２００の温度Ｔ０から、変化率の傾きは、［−１／（Ｔｖ−Ｔ０）］となる。また、設定温度Ｔｓのときの昇温速度の変化率Ｒｓは、［１−{（Ｔｓ−Ｔ０）／（Ｔｖ−Ｔ０）}］で求めることができ、設定温度Ｔｓのときの昇温速度は、[Ｒｓ×（Ｔ１−Ｔ０）／ｔａ]となる。（図７中符号Ｂ）
【００４６】
閾値設定部５４は、設定温度Ｔｓのときの昇温速度[Ｒｓ×（Ｔ１−Ｔ０）／ｔａ]を所定の閾値Ｘとして設定する。
【００４７】
これにより、第１温度としての温度Ｔ１のときの昇温速度[（Ｔ１−Ｔ０）／ｔａ]を算出することにより、昇温速度の所定の閾値Ｘを自動的に設定することができ、金型２００の温度が設定温度に到達する時間が遅くなる事態を防止することができる。
【００４８】
上述のように、時点ｔａにおいて、第１昇温速度を算出するとともに、設定温度のときの閾値Ｘを設定する。時点ｔａの後、昇温速度算出部５３は、所定の間隔Δｔで取得された金型２００の温度に基づいて、昇温速度を算出する。制御部５１は、昇温速度算出部５３で算出した昇温速度が所定の閾値Ｘより小さいか否かを判定する。なお、昇温速度の算出周期は、所定の間隔Δｔでもよく、間隔Δｔよりも長い間隔でもよい。
【００４９】
図９は本実施の形態の金型温度調節機５０による加熱制御時の金型２００の温度の推移の一例を示す模式図である。金型２００の温度がＴ０の状態から加熱を開始し、時間ｔ１２が経過した時点での金型２００の温度がＴ１２とし、温度Ｔ１２のときの昇温速度が閾値Ｘよりも小さい場合、排水電磁弁２４（排出弁）を所要時間の間だけ開にするので、金型２００内の媒体流路及び管路１２に溜まったドレンが蒸気によって排水電磁弁２４から排出される。これによって、ドレンが除去されるので、金型２００の昇温速度が大きくなり、設定温度に到達するまでの時間が遅くなることを防止することができる。なお、排水電磁弁２４を所要時間の間だけ開にしてドレンを排出する動作は、再度、金型２００の昇温速度を算出して、必要であれば繰り返すこともできる。
【００５０】
また、前述のように、第１温度としての温度Ｔ１のときの第１昇温速度を算出することにより、閾値Ｘを自動的に設定することができ、金型２００の温度が設定温度に到達する時間が遅くなる事態を防止することができる。
【００５１】
また、閾値設定部５４は、蒸気の温度に応じて閾値Ｘを設定することができる。蒸気の温度が異なると、図６で示したように、金型２００の温度と昇温速度の変化率との関係における変化率の傾きも異なる。すなわち、当該変化率の傾きに応じて閾値Ｘを変更することができ、蒸気の温度に応じて最適な閾値Ｘを設定することができる。
【００５２】
圧力取得部５６は、蒸気の圧力を取得する。圧力取得部５６は、例えば、圧力センサ３２が出力する信号を取得することにより、蒸気の圧力を取得することができる。
【００５３】
係数算出部５７は、蒸気の温度に基づく飽和圧力と圧力取得部５６で取得した圧力との差に応じて重み付け係数を算出する。例えば、蒸気温度から飽和圧力を算出し、実際の蒸気圧力と比較し、算出した飽和圧力が実際の蒸気圧力より小さい場合、蒸気が湿っているためドレンが溜まりやすいと考えられる。
【００５４】
閾値設定部５４は、係数算出部５７で算出した係数（重み付け係数）に応じて閾値Ｘを設定する。例えば、算出した飽和圧力が実際の蒸気圧力よりも小さいときは、閾値を大きくするような重み付け係数を閾値に乗算し、また算出した飽和蒸気圧が実際の蒸気圧力よりも大きいときは、閾値を小さくするような重み付け係数を閾値に乗算することにより、蒸気の状態も考慮したより適切な閾値Ｘに変更することができる。重み付け係数は、算出した飽和圧力と実際の蒸気圧力の差に応じて演算で求めてもよいし、あらかじめ設定した一定の値としてもよい。なお、重み付け係数を一定とする場合には、係数算出部５７を具備しなくてもよい。
【００５５】
所要時間算出部５８は、金型２００の設定温度と、昇温速度を算出したときの金型２００の温度との差に応じて排水電磁弁２４を開の状態にする所要時間を算出する。例えば、所要時間＝［（設定温度−昇温速度を算出したときの金型２００の温度）×係数］とすることができる。
【００５６】
制御部５１は、所要時間算出部５８で算出した所要時間の間だけ排水電磁弁２４を開にする。現在の金型温度（昇温速度を算出したときの金型２００の温度）と設定温度との差が小さいほど、排水電磁弁２４を開にする所要時間を短くして蒸気の圧力の低下を防ぐ。圧力の低下を防ぐことにより、金型２００の温度が低下することを防止することができる。
【００５７】
図１０は本実施の形態の金型温度調節機５０による加熱制御の処理手順の一例を示すフローチャートである。以下では、便宜上、処理の主体を制御部５１として説明する。制御部５１は、金型２００の加熱を開始する（Ｓ１１）。加熱開始により、図２で示した、蒸気投入、加熱が行われる。
【００５８】
制御部５１は、ドレンが少ない状態又はない状態で、第１温度を取得し（Ｓ１２）、第１温度のときの昇温速度を算出する（Ｓ１３）。制御部５１は、所定の昇温速度の変化率及び第１温度のときの昇温速度に基づいて、設定温度のときの閾値Ｘを設定する（Ｓ１４）。
【００５９】
制御部５１は、温度を取得し（Ｓ１５）、取得した温度のときの昇温速度を算出する（Ｓ１６）。制御部５１は、算出した温度が閾値Ｘ（例えば、設定温度のときの昇温速度）以上であるか否かを判定する（Ｓ１７）。
【００６０】
昇温速度が閾値以上でない場合（Ｓ１７でＮＯ）、制御部５１は、所要時間の間だけ排水電磁弁２４（排出弁）を開き（Ｓ１８）、後述のステップＳ１９の処理を行う。昇温速度が閾値Ｘ以上である場合（Ｓ１７でＹＥＳ）、制御部５１は、金型２００の温度が設定温度に到達したか否かを判定し（Ｓ１９）、設定温度に到達していない場合（Ｓ１９でＮＯ）、ステップＳ１５以降の処理を続ける。
【００６１】
設定温度に到達した場合（Ｓ１９でＹＥＳ）、制御部５１は、処理を終了する。図１０に示す加熱制御の処理が終了すると、冷却処理（不図示）が行われる。当該冷却処理の後、次の加熱サイクルでは、図１０に示す処理が行われる。なお、次の加熱サイクルにおいて、成形条件が同じであれば、ステップＳ１２〜Ｓ１４の処理は省略することができる。
【００６２】
本実施形態の金型温度調節機５０は、ＣＰＵ（プロセッサ）、ＲＡＭなどを備えたコンピュータを用いて実現することもできる。すなわち、図１０に示すような、各処理の手順を定めたコンピュータプログラムをコンピュータに備えられたＲＡＭにロードし、コンピュータプログラムをＣＰＵ（プロセッサ）で実行することにより、コンピュータ上で金型温度調節機５０の加熱制御方法を実現することができる。
【００６３】
上述のように、本実施の形態によれば、ドレンを排出するタイミングを特定することができ、必要な量だけのドレンを排出することができるので、金型の温度が設定温度に到達するまでの時間が遅くなる事態を防止することができる。また、ドレンを排出することができるので、不要なドレンを加熱する事態も防止することができ、余計な熱量が消費されることも抑制することができる。
【００６４】
上述の各実施の形態では、閾値を一つの値としているが、閾値に幅を持たせて数値範囲とすることもできる。
【００６５】
上述の実施の形態において、冷却媒体としては水を用いることができるが、水に代えて油を使用することもできる。
【００６６】
金型温度調節機５０は、加熱電磁弁２１、電磁弁２２、冷却電磁弁２３及び排水電磁弁２４の全部又は一部、送媒バルブ２５、返媒バルブ２６、管路１１、１２の一部を具備する構成であってもよい。
【００６７】
上述の実施の形態では、加熱電磁弁２１、電磁弁２２、冷却電磁弁２３及び排水電磁弁２４の開閉制御を一つの制御部で制御する構成であるが、これに限定されるものではなく、電磁弁毎に異なる制御部が制御してもよい。
【００６８】
上述の実施の形態では、温度制御装置の一例として金型温度調節機について説明したが、温度制御装置は金型温度調節機に限定されるものでなく、蒸気を用いて加熱制御するものを具備する装置であれば、本実施の形態を適用することができる。
【００６９】
本実施の形態に係る温度制御装置は、媒体流路を有する対象物に管路を介して媒体を流して前記対象物の温度を制御する温度制御装置であって、前記対象物の温度を取得する温度取得部と、前記対象物から流出する媒体を排出する排出弁の開閉を制御する制御部と、前記対象物に加熱用媒体を供給して加熱した状態で、前記温度取得部で取得した温度に基づいて前記対象物の昇温速度を算出する昇温速度算出部とを備え、前記制御部は、前記昇温速度算出部で算出した昇温速度に基づいて、前記排出弁の開閉を制御する。
【００７０】
本実施の形態に係るコンピュータプログラムは、コンピュータに、媒体流路を有する対象物に管路を介して媒体を流して前記対象物の温度を制御させるためのコンピュータプログラムであって、コンピュータに、前記対象物の温度を取得する処理と、前記対象物から流出する媒体を排出する排出弁の開閉を制御する処理と、前記対象物に加熱用媒体を供給して加熱した状態で、取得した温度に基づいて前記対象物の昇温速度を算出する処理と、算出した昇温速度に基づいて、前記排出弁の開閉を制御する処理とを実行させる。
【００７１】
本実施の形態に係る加熱制御方法は、媒体流路を有する対象物に管路を介して媒体を流して前記対象物の温度を制御する温度制御装置による加熱制御方法であって、前記対象物の温度を温度取得部が取得し、前記対象物から流出する媒体を排出する排出弁の開閉を制御部が制御し、前記対象物に加熱用媒体を供給して加熱した状態で、取得された温度に基づいて前記対象物の昇温速度を昇温速度算出部が算出し、算出された昇温速度に基づいて、前記排出弁の開閉を前記制御部が制御する。
【００７２】
温度取得部は、対象物の温度を取得する。対象物は、例えば、金型である。金型内部に設けられた温度センサが出力する信号を取得することにより、温度取得部は、対象物（金型）の温度を取得することができる。
【００７３】
制御部は、対象物に加熱用媒体を供給するための加熱弁及び対象物から流出する媒体を排出する排出弁それぞれの開閉を制御する。加熱用媒体としては、所定温度、所定圧力の蒸気を用いることができる。対象物から流出する媒体には、加熱用媒体が相変化した水（ドレン）、冷却水などが含まれる。なお、冷却用の媒体は水に限定されず、例えば、油でもよい。
【００７４】
昇温速度算出部は、対象物に加熱用媒体を供給して加熱した状態（例えば、加熱弁を開とし、排出弁を閉とした状態）で、温度取得部で取得した温度に基づいて対象物の昇温速度を算出する。対象物の温度は、例えば、所定の間隔Δｔの都度取得することができる。加熱開始後、時点ｔのときの対象物の温度をＴとし、時点ｔよりもΔｔ前の時点のときの対象物の温度をＴ′とすると、時点ｔのときの昇温速度は、［（Ｔ−Ｔ′）／Δｔ］で求めることができる。
【００７５】
制御部は、昇温速度算出部で算出した昇温速度に基づいて、排出弁の開閉を制御する。対象物の温度を設定温度まで上昇させる加熱制御の途中で、算出した昇温速度に基づいて排出弁を閉から開にする制御を設けることにより、対象物内の媒体流路に溜まったドレンを排出することができ、溜まったドレンによって対象物の温度が設定温度に到達する時間が遅くなる事態を防止することができる。
【００７６】
本実施の形態に係る温度制御装置は、所定の閾値を設定する閾値設定部を備え、前記制御部は、前記昇温速度算出部で算出した昇温速度が前記閾値よりも小さい場合、前記排出弁を所要時間の間、開にする。
【００７７】
閾値設定部は、所定の閾値を設定する。制御部は、昇温速度算出部で算出した昇温速度が所定の閾値よりも小さい場合、排出弁を所要時間の間、開にする。所定の閾値は、例えば、対象物（例えば、金型）の設定温度のときの昇温速度とすることができる。金型の温度が設定温度よりも低い場合には、金型内の媒体流路及び返媒管路にドレンが溜まっていないとき、あるいは溜まったドレンの量が無視することができる程度のとき、昇温速度は、設定温度のときの昇温速度（すなわち、所定の閾値）以下となることはない。従って、昇温速度算出部で算出した昇温速度が所定の閾値よりも小さい場合には、金型内の媒体流路及び返媒管路にドレンが溜まっていると判定することができる。
【００７８】
昇温速度が所定の閾値より小さい場合、排出弁を所要時間の間、開にすることによって、対象物内の媒体流路及び返媒管路に溜まったドレンを排出することができ、対象物の温度が設定温度に到達する時間が遅くなる事態を防止することができる。また、排出弁を所要時間の間だけ開にすることにより、加熱用媒体の圧力の低下を抑制することができる。
【００７９】
本実施の形態に係る温度制御装置は、前記昇温速度算出部は、前記対象物の温度が該対象物の設定温度よりも低い第１温度のときの第１昇温速度を算出し、前記閾値設定部は、前記対象物の温度と昇温速度の変化率との関係における前記設定温度のときの変化率及び前記第１昇温速度に基づいて前記閾値を設定する。
【００８０】
昇温速度算出部は、対象物の温度が設定温度よりも低い第１温度のときの第１昇温速度を算出する。加熱開始直前の対象物の温度をＴ０、加熱開始時点から時間ｔａが経過したときの対象物の第１温度をＴ１とすると、第１昇温速度は、［（Ｔ１−Ｔ０）／ｔａ］で算出することができる。
【００８１】
閾値設定部は、対象物の温度と昇温速度の変化率との関係における設定温度のときの変化率及び第１昇温速度に基づいて前記閾値を設定する。対象物の温度と昇温速度の変化率との関係は、金型の上昇温度毎に昇温速度の変化率をプロットしたものであり、予め実測値又はシミュレーション結果等によって定めることができる。また、対象物の温度と昇温速度の変化率との関係は、ドレンの存在による影響がない又は無視することができる状態を前提とすることができる。金型の上昇温度毎に昇温速度の変化率をプロットした点を繋ぐと、当該関係は、上昇温度の増加とともに変化率が低下し、例えば、直線状又は曲線状で表すことができる。
【００８２】
昇温速度の変化率を直線で表すことができるとした場合、蒸気温度Ｔｖと、加熱開始直前の対象物の温度Ｔ０から、変化率の傾きは、［−１／（Ｔｖ−Ｔ０）］となる。対象物の設定温度をＴｓとし、設定温度Ｔｓのときの昇温速度の変化率をＲｓとすると、変化率Ｒｓは、［１−{（Ｔｓ−Ｔ０）／（Ｔｖ−Ｔ０）}］で求めることができ、設定温度Ｔｓのときの昇温速度は、[Ｒｓ×（Ｔ１−Ｔ０）／ｔａ]となる。
【００８３】
これにより、第１温度Ｔ１のときの昇温速度を算出することにより、昇温速度の所定の閾値を自動的に設定することができ、対象物の温度が設定温度に到達する時間が遅くなる事態を防止することができる。
【００８４】
本実施の形態に係る温度制御装置において、前記閾値設定部は、前記加熱用媒体の温度に応じて前記閾値を設定する。
【００８５】
閾値設定部は、加熱用媒体の温度に応じて閾値を設定する。加熱用媒体の温度が異なると、対象物の温度と昇温速度の変化率との関係における変化率の傾きも異なる。当該変化率の傾きに応じて閾値を変更することができ、加熱用媒体の温度に応じて最適な閾値を設定することができる。
【００８６】
本実施の形態に係る温度制御装置は、前記加熱用媒体の圧力を取得する圧力取得部と、前記加熱用媒体の温度に基づく飽和圧力及び前記圧力取得部で取得した圧力に応じて重み付け係数を算出する係数算出部とを備え、前記閾値設定部は、前記係数算出部で算出した係数に応じて前記閾値を設定する。
【００８７】
圧力取得部は、加熱用媒体の圧力を取得する。例えば、蒸気を対象物である金型へ供給する管路に圧力センサを設け、圧力センサが出力する信号を取得することにより、蒸気の圧力を取得することができる。
【００８８】
係数算出部は、加熱用媒体の温度に基づく飽和圧力及び圧力取得部で取得した圧力に応じて重み付け係数を算出する。例えば、蒸気温度から飽和圧力を算出し、実際の蒸気圧力と比較し、算出した飽和圧力が実際の蒸気圧力より小さい場合、蒸気が湿っているためドレンが溜まりやすいと考えられる。
【００８９】
閾値設定部は、係数算出部で算出した係数（重み付け係数）に応じて閾値Ｘを設定する。例えば、算出した飽和圧力が実際の蒸気圧力よりも小さいときは、閾値を大きくするような重み付け係数を閾値に乗算し、また算出した飽和蒸気圧が実際の蒸気圧力よりも大きいときは、閾値を小さくするような重み付け係数を閾値に乗算することにより、蒸気の状態も考慮したより適切な閾値Ｘに変更することができる。重み付け係数は、算出した飽和圧力と実際の蒸気圧力の差に応じて演算で求めてもよいし、あらかじめ設定した一定の値としてもよい。
【００９０】
本実施の形態に係る温度制御装置は、前記対象物の設定温度と前記昇温速度を算出したときの前記対象物の温度との差に応じて前記排出弁を開の状態にする所要時間を算出する所要時間算出部を備え、前記制御部は、前記所要時間算出部で算出した所要時間の間、前記排出弁を開にする。
【００９１】
所要時間算出部は、対象物の設定温度と、昇温速度を算出したときの対象物の温度との差に応じて排出弁を開の状態にする所要時間を算出する。例えば、所要時間＝［（設定温度−現在金型温度）×係数］とすることができる。
【００９２】
制御部は、所要時間算出部で算出した所要時間の間、排出弁を開にする。現在の金型温度（昇温速度を算出したときの対象物の温度）と設定温度との差が小さいほど、排出弁を開にする所要時間を短くして蒸気の圧力の低下を防ぐ。圧力の低下を防ぐことにより、金型の温度低下を防止できるため、サイクルタイムを短縮することができる。
【００９３】
なお、前述の実施の形態の少なくとも一部を任意に組み合わせることができる。
【符号の説明】
【００９４】
１１、１２  管路
２１  加熱電磁弁（加熱弁）
２２  電磁弁
２３  冷却電磁弁
２４  排水電磁弁（排出弁）
２５  送媒バルブ
２６  返媒バルブ
３１  温度センサ
３２  圧力センサ
５０  金型温度調節機（温度制御装置）
５１  制御部
５２  温度取得部
５３  昇温速度算出部
５４  閾値設定部
５５  記憶部
５６  圧力取得部
５７  係数算出部
５８  所要時間算出部
２００  金型（対象物）
【図１】
2019016233.tif 000003
【図２】
2019016233.tif 000004
【図３】
2019016233.tif 000005
【図４】
2019016233.tif 000006
【図５】
2019016233.tif 000007
【図６】
2019016233.tif 000008
【図７】
2019016233.tif 000009
【図８】
2019016233.tif 000010
【図９】
2019016233.tif 000011
【図１０】
2019016233.tif 000012